(57)【要約】      （修正有）【課題】プリンターを使用するユーザー又は用途毎に設定値が異なる場合にも、一括して設定が可能になる。【解決手段】プリンターの設定値を設定値集合としてＩＤを付与して作成する設定値集合作成手段と、前記設定値集合を前記ＩＤと関連付けて格納する不揮発性記憶部と、前記不揮発性記憶部から一の設定値集合を、前記ＩＤを指定して読出す設定値集合読出し手段と、前記設定値集合に含まれる設定値に基づき設定する設定手段と、前記設定値集合に含まれる設定値を変更する設定値変更手段とを備えるプリンター。【選択図】図１
2012101385.tif 000002
【特許請求の範囲】
【請求項１】
プリンターの設定値を設定値集合としてＩＤを付与して作成する設定値集合作成手段と、
前記設定値集合を前記ＩＤと関連付けて格納する不揮発性記憶部と、
前記不揮発性記憶部から一の設定値集合を、前記ＩＤを指定して読出す設定値集合読出し手段と、
前記設定値集合に含まれる設定値に基づき設定する設定手段と、
前記設定値集合に含まれる設定値を変更する設定値変更手段と、
を備えることを特徴とするプリンター。
【請求項２】
操作手段と、印刷部を備えたプリンターであって、
前記操作手段の所定の入力の検出に基づき、
当該プリンターの設定値を設定値集合としてＩＤを付与して作成する設定値集合作成手段と、
前記設定値集合を前記ＩＤと関連付けて格納する不揮発性記憶部と、
前記不揮発性記憶部から一の設定値集合を前記ＩＤを指定して読出す設定値集合読出し手段と、
前記設定値集合に含まれる設定値に基づき設定する設定手段と、
前記設定値集合に含まれる設定値を変更する設定値変更手段と、
を備え、
前記印刷部は、前記操作手段の入力手順を印刷することを特徴とするプリンター。
【請求項３】
前記操作手段は、少なくとも１個の操作ボタンであり、更に少なくとも１個のＬＥＤを備え、当該ＬＥＤの異なった表示形態で前記ＩＤを表示する、  
ことを特徴とする請求項２に記載のプリンター。
【請求項４】
プリンターの設定値を設定値集合としてＩＤを付与して作成する設定値集合作成手段と、
前記設定値集合を前記ＩＤと関連付けて格納する不揮発性記憶部と、
前記不揮発性記憶部から一の設定値集合を、前記ＩＤを指定して読出す設定値集合読出し手段と、
前記設定値集合に含まれる設定値に基づき設定する設定手段と、
操作手段を備え、
前記設定値集合作成手段により前記設定値集合を作成し、前記不揮発性記憶部に格納するする第１のモードと、
前記設定値集合読出し手段により前記ＩＤを指定して前記不揮発性記憶部から一の設定値集合を読出し、前記設定手段により前記設定値を設定する第２のモードを有し、
前記操作手段への所定の入力の検出により、前記第１のモードと前記第２のモードを切り換えることを特徴とするプリンター。
【請求項５】
操作手段と、印刷部を備えたプリンターにおける設定方法であって、
前記操作手段の所定の入力に基づき、
前記設定値を設定値集合としてＩＤを付与して作成するステップと、
前記設定値集合をＩＤと関連付けて不揮発性記憶部に格納するステップと、
前記不揮発性記憶部に格納された一の設定値集合をＩＤを指定して読出すステップと、
前記読出した設定値集合に含まれる設定値に基づき設定するステップと、
前記各ステップの入力手順を前記印刷部で印刷するステップと、
を含むことを特徴とするプリンターの設定方法。
【請求項６】
前記操作手段の所定の入力に基づき、
前記設定値集合に含まれる設定値を変更するステップと含む、
ことを特徴とする請求項５に記載のプリンターの設定方法。
【請求項７】
前記限られた数の操作手段は、少なくとも１個の操作ボタンであり、更に、少なくとも１個のＬＥＤを備え、当該ＬＥＤの異なった表示形態で、前記ＩＤを表示するステップを含む、
ことを特徴とする請求項５又は６に記載のプリンターの設定方法。
【請求項８】
プリンターの設定値を設定値集合としてＩＤを付与して作成するステップと、
前記設定値集合を前記ＩＤと関連付けて不揮発性記憶部に格納するステップと、
前記不揮発性記憶部から一の設定値集合を、前記ＩＤを指定して読出すステップと、
前記設定値集合に含まれる設定値に基づき設定するステップと、を含み、
前記設定値集合を作成するステップと、前記不揮発性記憶部に格納するステップを行うための第１のモードと、
前記ＩＤを指定して前記不揮発性記憶部から一の設定値集合を読出すステップと、前記設定値を設定するステップを行うための第２のモードを有し、
前記操作手段への所定の入力を検出するステップにより、前記第１のモードと前記第２のモードを切り換えることを特徴とするプリンターの設定方法。
【請求項９】
請求項５〜８に記載のプリンターの設定方法の各ステップをプリンターに搭載された制御部に実行させるプログラム。
【発明の詳細な説明】
【技術分野】
【０００１】
本発明は、電源スイッチ、限られた数の操作釦、限られた数のＬＥＤ表示部及び印刷部を備えたプリンターにおける設定値の変更を容易にするための、複数の設定値集合を記憶したプリンター、プリンターの設定方法及びそのプログラムに関する。
【背景技術】
【０００２】
電子機器の機能設定のためにメニュー項目を階層構造とするものが知られている。（特許文献１）
上記特許文献１には、複数の項目を階層構造で管理する機能設定メニューを表示器に表示し、該表示器に表示された機能設定メニューに基づき各種機能の設定内容を設定する電子機器において、前記階層構造の機能設定メニューの各項目をユーザーの操作に対応して前記階層構造にしたがって前記表示器に表示する表示制御手段と、前記表示制御手段により表示された前記機能設定メニューの項目に基づき所望の機能の内容を選択して前記表示器に表示させる機能選択手段と、前記機能選択手段にて選択されて前記表示器に表示された項目が最上位になるように前記機能設定メニューの階層構造を変更する階層構造変更手段とを具備することを特徴とする電子機器。（請求項１）が記載されている。
【０００３】
また、従来の電源スイッチ、限られた数の操作釦、限られた数のＬＥＤ表示部及び印刷部を備えたプリンターとしては以下のもの（参考例）が知られている。
図１２は、参考例に係るプリンター２の外観斜視図である。
この図１２に示す記録装置としてのプリンター２は、本体１１にロール紙１０を収容し、ロール紙１０を搬送しながら、本体１１に内蔵するサーマルヘッド（図示略）によってロール紙１０に文字や画像を印刷するサーマルラインプリンターである。本体１１には開閉可能なカバー１２が設けられ、レバー１３を押し下げることでカバー１２が開放される。
カバー１２を開くと、本体１１内においてロール紙１０を収容する空間が露出し、ロール紙１０の補充、交換を行える。
プリンター２は、ロール紙１０に対し、予め用意されたロゴマークと文字を印刷（記録）することにより、例えば小売店におけるレシートを印刷出力する。
【０００４】
また、プリンター２の本体１１の上面には、印刷後のロール紙１０を排出する排紙口１４が形成されている。プリンター２は、排紙口１４が前を向くように設置することも可能である。排紙口１４内にはロール紙１０をカットするためのカット刃１５が設けられている。本体１１には、プリンター２の電源をオン／オフさせる電源スイッチ１６、紙送り動作の指示や動作モードの切り替え等の操作を行うための押下スイッチ１７（操作スイッチ）、及び、プリンター２の動作状態等を表示するためのＬＥＤ表示部１８が設けられている。ＬＥＤ表示部１８は、第１ＬＥＤ４１、第２ＬＥＤ４２、及び、第３ＬＥＤ４３を備えている。
このように、参考例に係るプリンター２は、電源スイッチ１６の他は、操作スイッチとして押下スイッチ１７のみを備えている。また、プリンター２は、液晶ディスプレイや等の表示装置を備えていない。このため、操作スイッチを複数有するプリンターや、表示装置を有するプリンターと比較して、小型化や製造コストの削減を実現できる。
【０００５】
図１３は、参考例に係るプリンターの構成を示すブロック図である。
この印刷システム１は、プリンター２にホストコンピューター４を接続して構成され、ホストコンピューター４の制御に従ってプリンター２によって上記のレシート等を作成するシステムである。
【０００６】
プリンター２は、実際の印刷を行うプリントエンジン２０と、プリンター２の全体を制御する制御部２１と、制御部２１が実行する基本制御プログラムを記憶したＲＯＭ２２と、制御部２１が実行する制御プログラム等を記憶したＥＥＰＲＯＭ２４と、ホストコンピューター４から送信されるコマンドの受信制御を行う受信制御部２５と、ホストコンピューター４から受信したコマンドやデータ列を一時的に記憶する受信バッファー２６と、押下スイッチ１７における操作を検出する入力部２７と、第１ＬＥＤ４１、第２ＬＥＤ４２、及び、第３ＬＥＤ４３の発光制御を行う表示部２８と、を備えている。
制御部２１は、ＣＰＵや、実行するプログラムやデータ等を一時的に記憶するワークエリアとしてのメモリーを内蔵し、マイクロコンピューターとして機能し、ＲＯＭ２２に記憶された基本制御プログラムや、ＥＥＰＲＯＭ２４に記憶された制御プログラム２４Ａを実行する。また、制御部２１は、図示せぬ発振器が生成した基準クロックに基づいて各種計時動作を実行可能であり、特に、入力部２７から入力された押下スイッチ１７に対する押下の検出信号に基づいて、直近の押下スイッチ１７の押下が行われてからの時間を計時可能である。
【０００７】
プリントエンジン２０は、制御部２１の制御に従って、ホストコンピューター４から送信された印刷用データやコマンドに基づき、ロール紙１０に印刷する文字や画像を作成し、プリンター２が備える印刷機構を制御して、ロール紙１０に印刷を行う。具体的には、プリンター２は、ロール紙１０の印刷面に熱を与える印刷ヘッド、ロール紙１０に対して印刷ヘッドを移動させる印刷ヘッド駆動機構、ロール紙１０を搬送する搬送機構等を備え、これら印刷ヘッド及び各種機構がプリントエンジン２０によって制御される。本実施形態では、印刷ヘッド、及び、印刷ヘッド駆動機構がロール紙１０に画像を記録する記録部として機能し、搬送機構がロール紙１０を搬送する搬送部として機能する。
【０００８】
ＲＯＭ２２は、制御部２１によってプリンター２の各部を初期化するとともに、これらの各部を制御するための基本制御プログラム、及び、この基本制御プログラムに係るデータ等を不揮発的に記憶する。
ＥＥＰＲＯＭ２４は、書き換え可能な不揮発性の記憶装置であり、制御部２１によってプリンター２の各部を制御するための制御プログラム２４Ａを記憶する。このほか、ＥＥＰＲＯＭ２４は、選択押下回数テーブル３０と、ＬＥＤ発光態様テーブル４５と、を記憶する。これらテーブルについては、後述する。
【０００９】
受信制御部２５は、ホストコンピューター４との間で所定の通信プロトコルを実行し、ホストコンピューター４から送信される信号を受信し、受信した信号を復調（デコード）してコマンドやデータ列を生成し、受信バッファー２６に順次記憶する。受信制御部２５は、例えば、通信ケーブルが接続されるコネクターと通信回路、或いは、無線通信回路とアンテナ等を備えている。
受信バッファー２６は、受信制御部２５が出力したコマンドやデータ列を順次記憶する一時記憶装置であり、この受信バッファー２６に記憶されているコマンドやデータ列は、制御部２１によって取得される。
プリンター２は、受信制御部２５により受信したコマンドが印刷ジョブの実行を指示するコマンドであって、このコマンドに続いて印刷データを受信した場合に、印刷ジョブを実行する。
表示部２８は、第１ＬＥＤ４１、第２ＬＥＤ４２、及び、第３ＬＥＤ４３に接続され、制御部２１の制御の下、これらＬＥＤの発光制御を行う。第１ＬＥＤ４１、第２ＬＥＤ４２、及び、第３ＬＥＤ４３のそれぞれは、点灯、点滅、消灯の３つの態様での発光が可能であり（説明の便宜上、「消灯」も発光の１態様とする）、それぞれのＬＥＤの発光の組み合わせにより、プリンター２の動作や状態を報知する。さらに、詳細は後述するが、動作モードが設定モードに移行している間は、第１ＬＥＤ４１、及び、第２ＬＥＤ４２の２つのＬＥＤによって、現時点における選択対象のメニュー項目を報知する。
【００１０】
参考例に係るプリンター２は、ホストコンピューター４との接続状態が解除され、スタンドアローンの状態であっても、ロール紙１０の種類の選択を行うための機能や、ロール紙１０に記録される印字濃度の設定をするための機能、ロール紙１０の幅の設定をするための機能等の予め用意された機能を選択的に実行できる構成となっている。なお、ここでのユーザーは、プリンター２を使用する者の他、プリンター２のメンテナンス担当者、修理担当者等を含む概念である。
具体的には、予め用意された機能の中の１の機能を実行する場合、まず、ユーザーは、プリンター２の動作モードを設定モードに移行させる。設定モードへの移行は、予め定められた特定の操作（例えば、押下スイッチ１７が押下された状態で電源スイッチ１６がオンされる等の操作）がプリンター２に対してなされることによって行われる。
動作モードを設定モードに移行させた後、ユーザーは、押下スイッチ１７を押下操作して、自身が実行したい機能に対応するメニュー項目を選択し、これにより当該機能を実行する。
【００１１】
ここで、メニュー項目を選択する際のユーザーの動作について詳述すると、本実施形態では、ユーザーによる押下スイッチ１７の押下の態様として、継続して押下された時間に応じて、選択押下、及び、決定押下の２つの態様が規定されている。
選択押下は、継続して押下された時間が２秒未満の押下である。
決定押下は、継続して押下された時間が、２秒以上の押下である。
そして、本実施形態では、選択押下が行われた回数と、当該回数だけ選択押下が行われた後に決定押下が行われた場合に選択されるメニュー項目が予め定められており、当該定めは、マニュアルへの記載等の方法によりユーザーによって予め認識されている状態となっている。なお、１つのメニュー項目と、１つの機能が対応関係にあり、メニュー項目が選択されることにより、当該メニュー項目に対応する機能が実行される。
ユーザーは、プリンター２に１の機能を実行させる場合、当該１の機能に対応するメニュー項目を認識し、この認識に基づいて当該メニュー項目を選択するために行うべき操作、例えば、選択押下を６回行った後に決定押下を行う等の操作を認識した上で、当該操作を行う。これにより、当該メニュー項目が選択され、当該メニュー項目と対応する機能が実行される。
【００１２】
次いで、メニュー項目選択時におけるプリンター２の動作について説明する。
図１４は、選択押下回数テーブル３０の構成を模式的に示す図である。
図１４に示すように、選択押下回数テーブル３０の１件のレコードには、選択押下回数フィールド３１と、メニュー項目フィールド３２と、が含まれている。
選択押下回数フィールド３１には、押下スイッチ１７が決定押下される前に選択押下された回数を示す選択押下回数データが格納される。
メニュー項目フィールド３２には、対応する選択押下回数フィールド３１に格納された選択押下回数データが示す選択押下の回数だけ押下スイッチ１７が押下された後に、決定押下が行われた場合に、選択されるメニュー項目を示すメニュー項目データが格納される。
図１４に示すように、選択押下回数テーブル３０では、選択押下の回数に対応して、所定の順番でメニュー項目が順番に並べられた状態となっている。また、メニューとは、選択押下の回数に対応して、所定の順番でメニュー項目が並べられている状態をいう。
【００１３】
上述したように、ユーザーは、１の機能を実行する場合、当該１の機能に対応したメニュー項目を選択するべく、所定の回数だけ選択押下を行った後、決定押下を行う。その際、プリンター２の制御部２１は、決定押下に至るまでに行われた選択押下の回数をカウントしておき、決定押下が行われた時点で、選択押下回数テーブル３０を参照し、カウントした選択押下の回数を示す選択押下回数データが選択押下回数フィールド３１に格納されているレコードを特定する。そして、制御部２１は、特定したレコードのメニュー項目フィールド３２に格納されているメニュー項目データを取得し、取得したメニュー項目データが示すメニュー項目に対応する機能を実現するためのプログラムを読み出し、実行する。この場合における制御部２１の動作を換言すれば、制御部２１は、選択押下が行われる度に、選択対象のメニュー項目を順番に切り替え、決定押下が行われた時点で、現在の選択対象のメニュー項目に対応する機能を実行する。なお、「選択対象のメニュー項目」とは、決定押下がなされる直前までに行われた選択押下の回数を示す選択押下回数データと対応づけて記憶されたメニュー項目データが示すメニュー項目のことを言う。従って、決定押下が行われた場合、その時点での選択対象のメニュー項目が、選択されたメニュー項目として確定し、当該メニュー項目に対応する機能が実行される。
【先行技術文献】
【特許文献】
【００１４】
【特許文献１】特開２００６−９１９８７号公報
【発明の概要】
【発明が解決しようとする課題】
【００１５】
従来のプリンターの設定は個々の設定値毎に設定する必要があり、プリンターを使用するユーザー又は用途毎に設定値が異なる場合にはその都度設定をし直す必要があった。
また、電源スイッチ、限られた数の操作釦、限られた数のＬＥＤ表示部及び印刷部を備えたプリンターでは、設定値の変更が容易ではなかった。
【００１６】
本発明の課題（目的）は、プリンターを使用するユーザー又は用途毎に設定値が異なる場合に、一括して設定が可能なプリンター、プリンターの設定方法及びそのプログラムを提供することにある。
また、電源スイッチ、限られた数の操作釦、限られた数のＬＥＤ表示部及び印刷部を備えたプリンター上記プリンターの設定値の一括設定実現することにある。
【課題を解決するための手段】
【００１７】
上記課題を解決するための本発明のプリンターは、プリンターの設定値を設定値集合としてＩＤを付与して作成する設定値集合作成手段と、前記設定値集合を前記ＩＤと関連付けて格納する不揮発性記憶部と、前記不揮発性記憶部から一の設定値集合を、前記ＩＤを指定して読出す設定値集合読出し手段と、前記設定値集合に含まれる設定値に基づき設定する設定手段と、前記設定値集合に含まれる設定値を変更する設定値変更手段とを備えることを特徴とする。
【００１８】
また、操作手段と、印刷部を備えたプリンターであって、前記操作手段の所定の入力の検出に基づき、当該プリンターの設定値を設定値集合としてＩＤを付与して作成する設定値集合作成手段と、前記設定値集合を前記ＩＤと関連付けて格納する不揮発性記憶部と、前記不揮発性記憶部から一の設定値集合を前記ＩＤを指定して読出す設定値集合読出し手段と、前記設定値集合に含まれる設定値に基づき設定する設定手段と、前記設定値集合に含まれる設定値を変更する設定値変更手段と、を備え、前記印刷部は、前記操作手段の入力手順を印刷することを特徴とする。
また、前記操作手段は、少なくとも１個の操作ボタンであり、更に少なくとも１個のＬＥＤを備え、当該ＬＥＤの異なった表示形態で前記ＩＤを表示することを特徴とする。
【００１９】
また、プリンターの設定値を設定値集合としてＩＤを付与して作成する設定値集合作成手段と、前記設定値集合を前記ＩＤと関連付けて格納する不揮発性記憶部と、前記不揮発性記憶部から一の設定値集合を、前記ＩＤを指定して読出す設定値集合読出し手段と、前記設定値集合に含まれる設定値に基づき設定する設定手段と、操作手段を備え、前記設定値集合作成手段により前記設定値集合を作成し、前記不揮発性記憶部に格納するする第１のモードと、前記設定値集合読出し手段により前記ＩＤを指定して前記不揮発性記憶部から一の設定値集合を読出し、前記設定手段により前記設定値を設定する第２のモードを有し、前記操作手段への所定の入力の検出により、前記第１のモードと前記第２のモードを切り換えることを特徴とする。
【００２０】
上記課題を解決するための本発明のプリンターにおける設定方法は、操作手段と、印刷部を備えたプリンターにおける設定方法であって、前記操作手段の所定の入力に基づき、前記設定値を設定値集合としてＩＤを付与して作成するステップと、前記設定値集合をＩＤと関連付けて不揮発性記憶部に格納するステップと、前記不揮発性記憶部に格納された一の設定値集合をＩＤを指定して読出すステップと、前記読出した設定値集合に含まれる設定値に基づき設定するステップと、前記各ステップの入力手順を前記印刷部で印刷するステップとを含むことを特徴とする。
【００２１】
また、前記操作手段の所定の入力に基づき、前記設定値集合に含まれる設定値を変更するステップと含むことを特徴とする。
また、前記限られた数の操作手段は、少なくとも１個の操作ボタンであり、更に、少なくとも１個のＬＥＤを備え、当該ＬＥＤの異なった表示形態で、前記ＩＤを表示するステップを含むことを特徴とする。
【００２２】
また、プリンターの設定値を設定値集合としてＩＤを付与して作成するステップと、前記設定値集合を前記ＩＤと関連付けて不揮発性記憶部に格納するステップと、前記不揮発性記憶部から一の設定値集合を、前記ＩＤを指定して読出すステップと、前記設定値集合に含まれる設定値に基づき設定するステップと、を含み、前記設定値集合を作成するステップと、前記不揮発性記憶部に格納するステップを行うための第１のモードと、前記ＩＤを指定して前記不揮発性記憶部から一の設定値集合を読出すステップと、前記設定値を設定するステップを行うための第２のモードを有し、前記操作手段への所定の入力を検出するステップにより、前記第１のモードと前記第２のモードを切り換えることを特徴とする。
【００２３】
上記課題を解決するための本発明のプリンターにおける設定方法のプログラムは、請求項５〜８に記載のプリンターの設定方法の各ステップをプリンターに搭載された制御部に実行させることを特徴とする。
【発明の効果】
【００２４】
本発明のプリンター、プリンターの設定方法及びそのプログラムによれば、プリンターを使用するユーザー又は用途毎に設定値が異なる場合に、一括して設定が可能になる。
また、電源スイッチ、限られた数の操作釦、限られた数のＬＥＤ表示部及び印刷部を備えたプリンター上記プリンターの設定値の一括設定が可能になる。
【図面の簡単な説明】
【００２５】
【図１】本発明の設定値集合の設定方法及び設定値集合に基づいたプリンターの設定の基本的な手順を示すフローチャートである。
【図２】プリンターに操作スイッチとして電源スイッチと紙送りスイッチ（押下スイッチ）のみが設けられ、表示手段としては複数個（３個）のＬＥＤのみが設けられている場合の設定値集合の変更方法の手順を示すフローチャートである。
【図３】設定値集合の選択メニューの印字結果の１例を示す図である。
【図４】設定値集合の変更の選択メニューの印字結果の１例を示す図である。
【図５】設定値Ａ（紙種）の選択メニューの印字結果の１例を示す図である。
【図６】設定値Ａ（紙種）の設定終了後の選択メニューの印字結果の１例を示す図である。
【図７】設定値集合の保存に関する選択メニューの印字結果の１例を示す図である。
【図８】設定値集合の保存後の印字結果の１例を示す図である。
【図９】設定値Ｂ（用紙幅）の選択メニューの印字結果の１例を示す図である。
【図１０】設定値Ｃ（印刷濃度）の選択メニューの印字結果の１例を示す図である。
【図１１】本発明のプリンターの構成を示すブロック図である。
【図１２】参考例の電源スイッチ、限られた数の操作釦、限られた数のＬＥＤ表示部及び印刷部を備えたプリンターの外観を示す図である。
【図１３】参考例のプリンターの構成を示すブロック図である。
【図１４】参考例における選択押下回数テーブル３０の構成を模式的に示す図である。
【発明を実施するための形態】
【００２６】
本発明の複数の設定値集合を記憶したプリンターにおける設定値集合の設定方法及び設定された設定値集合を利用した基本的な動作を図１を用いて説明する。
この図１の設定値集合の設定及び利用は、当該プリンターに液晶等のメニュー表示機能及び入力スイッチとして種々の入力部が存在する場合にも適用できる。
【００２７】
まず、ステップS1からS10について、説明する。
・モード設定か否かの判断をする。（ステップS1）
・ステップS1でNoの判断をした場合には、ステップS1を繰り返す。
・ステップS1でYes（モード設定）の判断をした場合には、次に、メニューモードを選択するか否かの判断をする。（ステップS2）
・ステップS2の判断でYesの場合はメニューモードに入る。（ステップS3）  
・メニューの選択項目を表示又は印字する。（ステップS4）
メニューの選択項目を直接印字するのは、プリンターにメニューの選択画面を表示する機能が無い場合である。
・操作者は、表示又は印字されたメニューの結果に基づいて押下スイッチの操作で自己の選択するメニューを選択する。（ステップS5）
・設定値集合の作成を選択した場合（ステップS6）には、設定値集合の作成が選択された旨の表示又は印字がなされる。
・操作者によって設定項目を順次選択して設定する。（ステップS7）
・全ての設定項目の設定が実行された設定値集合の作成が終了したか否かの判断をする。（ステップS8）
・ステップS8の判断がNoの場合には、ステップS7に戻る。
・ステップS8の判断がYesの場合には、作成された設定値集合をIDと共に不揮発性メモリー（ＥＥＰＲＯＭ）に格納する。（ステップS9）
・次に、メニューモード終了か否かの判断をする。（ステップS10）
・ステップS10の判断がYesの場合には終了（END）する。
・ステップS10の判断がNoの場合には、ステップS4に戻る。
【００２８】
次に、既に作成され不揮発性メモリーに格納されている設定値集合を利用する場合について説明する。
・操作者は、表示又は印字されたメニューの結果に基づいて押下スイッチの操作で自己の選択するメニュー（設定値集合の利用）を選択する。（ステップS5）
・操作者はIDを指定することによって、既に作成され不揮発性メモリーに格納されている設定値集合を読み出す。（ステップS11）
・操作者が読み出した設定値集合をそのままプリンターに設定することを選択した場合には読み出した設定値集合がプリンターに設定する。（ステップS12）
・次に、設定モード終了か否かの判断をする。（ステップS16）
・ステップS16の判断がYesの場合には終了（END）する。
・ステップS16の判断がNoの場合には、ステップS11に戻る。
・操作者が読み出した設定値集合の設定値の一部を変更してプリンターに設定することを選択した場合には、前記ステップS7及びステップS8の手順で設定値の変更を実行する。（ステップS13）
・変更した設定値集合をプリンターに設定する。（ステップS14）
・変更された設定値集合をIDと共に不揮発性メモリー（ＥＥＰＲＯＭ）に格納して処理を終了する。（ステップS15）
・次に、設定モード終了か否かの判断をする。（ステップS16）
・ステップS16の判断がYesの場合には終了（END）する。
・ステップS16の判断がNoの場合には、ステップS11に戻る。
【００２９】
上記の手順でプリンターの複数の設定値を個人別又は用途別等に設定値集合としてプリンターの不揮発性メモリーにIDと共に格納しておくことができるので、IDを指定することによって簡単に個人別又は用途別の設定値を一括で容易に設定することが可能になる。
【００３０】
次に、上記図１の本発明の複数の設定値集合を記憶したプリンターにおける設定値集合の設定方法及び設定された設定値集合の利用方法に適したプリンターについて説明する。
本発明のプリンターのハードウエア構成は参考例で示した図１２のプリンターと実質的な差異はない。
図１１は、本発明のプリンターの構成を示すブロック図である。
【００３１】
本発明のプリンターで参考例のプリンターとの差異（特徴点）は、ＥＥＰＲＯＭ２４の記憶領域に設定値集合記憶部５０を備えていることである。
また、他の差異（特徴点）はプリンターに対する操作者による入力手段として、電源スイッチ１６と少ない数（図１２では１個）の押下スイッチのみが設けられている点である。
その他は、参考例のものと実質的な差異はない。
【００３２】
次に、図１２に記載の如き、プリンターに操作スイッチとして電源スイッチと紙送りスイッチ（押下スイッチ）のみが設けられ、表示手段としては複数個（３個）のＬＥＤのみが設けられている場合の設定値集合の変更方法について以下に説明する。
【００３３】
・図１２の紙送スイッチ（押下スイッチ）１３を押した状態で電源スイッチ１６をオンにする。（ステップS31）
・設定値集合の選択メニューを印字する。（ステップS32）
このプリンターには、表示部としてはＬＥＤ（３個）のみだけが存在するので、操作者には直接選択メニューを見ることが出来ないので、プリンターの印字機能を利用して印字結果（例えば、図３）を出力する。
図３の印字された印字情報には、設定値集合の作成、設定値集合の変更、保存されているID(a)の設定値集合、保存されているID(b)の設定値集合、保存されているID(c)の設定値集合、及び設定値集合のＬＥＤによる確認というメニュー項目に対応して押下回数が印字されている。
【００３４】
・操作者は、設定値集合の変更をしようとしているので、印字情報（図３）に基づいて、押下スイッチを所定回数（例えば、２回）押下した後に、押下スイッチを長押し（決定）して希望するメニューを選択する。（ステップS33）
・ステップS33の操作に応じて、選択されたメニュー名と、（設定値集合の変更）の選択項目（設定値種類）（図４）が印字される。（ステップS34）
・操作者は、印字情報（図４）に基づいて、変更する項目（紙種）に対応した押下スイッチの押した回数（１回）を押下した後に、押下スイッチを長押し（決定）して希望するメニューを選択する。（ステップS35）
・ステップS35の操作に応じて、選択された紙種の選択項目（単色感熱紙、２色感熱紙）（図５）が印字される。（ステップS36）
【００３５】
・操作者は、印字情報（図５）に基づいて、変更する紙種（単色感熱紙）に対応した押下スイッチの押した回数（１回）を押下した後に、押下スイッチを長押し（決定）して希望するメニューを選択する。（ステップS37）
・ステップS37の操作に応じて、選択された紙種（単色感熱紙）変更結果と、次の設定値の変更項目の有無、変更した設定値集合の保存、変更した設定値集合のプリンターへの設定等のメニューが押下回数（図６）と共に印字される。（ステップS38）
・操作者は、印字情報（図６）に基づいて、変更した設定値集合を保存するに対応した押下スイッチの押した回数（３回）を押下した後に、押下スイッチを長押し（決定）して希望するメニューを選択する。（ステップS39）
・ステップS39の操作に応じて、選択された変更した設定値集合の保存という選択結果と、保存（上書）先のIDのメニューが押下回数（図７）と共に印字される。（ステップS40）
ここで、IDは個人別又は用途別等に特有の識別情報であって、複数の設定値集合がIDと共にＥＥＰＲＯＭ内の設定値集合記憶部５０に格納されている。
【００３６】
・操作者は、印字情報（図６）に基づいて、変更した設定値集合を自己の識別情報はID(a）であるので、押下スイッチの押した回数（１回）を押下した後に、押下スイッチを長押し（決定）して希望するメニューを決定する。（ステップS41）
・ステップS41の操作に応じて、設定値集合の保存結果が印字される。（図８）
図８における「保存結果のＬＥＤ表示形態は○××です。」という印字は、ID(a)に対応する３個のＬＥＤの表示形態を示している。
【００３７】
なお、ＬＥＤの表示形態としては、３個のＬＥＤで表示できる数以上のIDが存在する場合には、ＬＥＤの点滅の異なった表示形態をも採用することができる。
また、ＬＥＤの数は３個である必要はなく、１個、２個、３個以上でも良いことは発明の趣旨からみて明らかである。
【００３８】
なお、上記説明ではステップS35で、設定値Ａ（紙種）を選択した場合について述べているが、設定値Ｂ（用紙幅）又は、設定値Ｃ（印刷濃度）を選択した場合には、図９及び図１０の選択項目を使用することになる。
また、選択項目は、上記のものに限られることはなく、種々の選択項目に適用できることは発明の趣旨からみて明らかである。
【００３９】
また、上記説明は、プリンターに操作スイッチとして電源スイッチと紙送りスイッチ（押下スイッチ）のみが設けられ、表示手段としては複数個（３個）のＬＥＤのみが設けられている場合について述べているが、押下スイッチが１個の場合に限られものではなく、複数の押下スイッチが存在する場合や、上下左右の矢印スイッチ等のスイッチが存在する場合にも本発明が適用できることは明らかである。
【符号の説明】
【００４０】
２：プリンター
１６：電源スイッチ
１７：押下スイッチ
２０：プリントエンジン
２１：制御部（ＣＰＵ）
２４：不揮発性メモリー（ＥＥＰＲＯＭ）
２４A：制御プログラム
２５：受信制御部
２６：受信バッファー
３０：押下回数テーブル
４０：ＬＥＤ
４５：LED発光態様テーブル
５０：設定値集合記憶部
【図１】
2012101385.tif 000003
【図２】
2012101385.tif 000004
【図３】
2012101385.tif 000005
【図４】
2012101385.tif 000006
【図５】
2012101385.tif 000007
【図６】
2012101385.tif 000008
【図７】
2012101385.tif 000009
【図８】
2012101385.tif 000010
【図９】
2012101385.tif 000011
【図１０】
2012101385.tif 000012
【図１１】
2012101385.tif 000013
【図１２】
2012101385.tif 000014
【図１３】
2012101385.tif 000015
【図１４】
2012101385.tif 000016
【手続補正書】
【提出日】平成22年11月10日(2010.11.10)
【手続補正１】
【補正対象書類名】図面
【補正対象項目名】図１１
【補正方法】変更
【補正の内容】
【図１１】
2012101385.tif 000017